(57)【要約】【課題】電気化学素子を筐体に容易に固定することができる電気化学素子ユニットを提供することにある。【解決手段】箱型の筐体５１内に、並列または直列に接続される複数の電気化学素子を収納してなる電気化学素子ユニットであって、前記電気化学素子が電気二重層キャパシタ１０を覆う緩衝材３０，３０を組み付けたキャパシタモジュール４０であり、筐体５１に固定具５２を固定することにより、固定具５２が緩衝材３０に押し付けられて当該筐体５１内にキャパシタモジュール４０を固定するようにした。【選択図】図５
2011222573.tif 000002
【特許請求の範囲】
【請求項１】
箱型の筐体内に、並列または直列に接続される複数の電気化学素子を収納してなる電気化学素子ユニットであって、
前記電気化学素子が電気化学素子本体を覆う保護部材を組み付けた電気化学素子モジュールであり、
前記筐体に固定具を固定することにより、当該固定具が前記保護部材に押し付けられて当該筐体内に前記電気化学素子モジュールを固定するようにした
ことを特徴とする電気化学素子ユニット。
【請求項２】
請求項１に記載の電気化学素子ユニットであって、
前記固定具は前記筐体に取付けられる縦板部と前記縦板部に接続し前記保護部材を固定する横板部とを備え、
前記保護部材は傾斜部を備える
ことを特徴とする電気化学素子ユニット。
【請求項３】
請求項２に記載の電気化学素子ユニットであって、
前記傾斜部は、前記保護部材の端部側よりも前記保護部材の長手方向中央部側が上方となるように形成される
ことを特徴とする電気化学素子ユニット。
【請求項４】
請求項３に記載の電気化学素子ユニットであって、
前記固定具の前記縦板部と前記横板部で構成される角部は、前記傾斜部における前記保護部材の端部側の角部よりも小さく形成されている
ことを特徴とする電気化学素子ユニット。
【請求項５】
請求項２乃至請求項４の何れか一項に記載の電気化学素子ユニットであって、
前記傾斜部が前記保護部材の端部近傍に設けられる
ことを特徴とする電気化学素子ユニット。
【請求項６】
請求項２乃至請求項５の何れか一項に記載の電気化学素子ユニットであって、
前記保護部材は凹み部を備え、
前記凹み部は、前記傾斜部における当該保護部材の端部側に隣接して形成される
ことを特徴とする電気化学素子ユニット。
【請求項７】
請求項１乃至請求項６の何れか一項に記載の電気化学素子ユニットであって、
前記電気化学素子が、アルミラミネートフィルムによって外装された電気二重層キャパシタ、またはリチウムイオン電池である
ことを特徴とする電気化学素子ユニット。
【発明の詳細な説明】
【技術分野】
【０００１】
本発明は、電気二重層キャパシタユニットまたはリチウムイオン電池ユニットなどの電気化学素子ユニットに関する。
【背景技術】
【０００２】
電気二重層キャパシタは、分極性電極に電解質中のアニオン、カチオンを正極、負極表面に物理吸着させて電気を蓄えることを原理としている。
【０００３】
バイポーラ型電気二重層キャパシタ（以後、キャパシタと呼称する）は、平板状の活性炭電極、集電極を積層し、これらの間にイオンが通過可能なセパレータを挟んだ積層型である。活性炭電極、集電極の外周部には内部の電解質が漏れ出さないように、シールを行うためパッキンを挟んでいる。このパッキンは同時に積層間での絶縁も兼ねている。
【０００４】
キャパシタの組立てを行う際には、必要な耐電圧分のセル（対向する活性炭電極間に挟まれる電解質の最小単位）をパッキンと交互に積み重ね（単セル耐電圧２．５Ｖ程度）、終端にエンドプレートで締付けることにより、密閉構造を保っている。
【０００５】
セル間で完全なシールを行うには、エンドプレート間に十分な締め付け力を与える必要があるため、両側のエンドプレートのねじ穴から金属ねじを通し、エンドプレート間には、両雌ねじ加工を行ったスペーサを入れ両側からねじで締め付けることにより大きな加圧力を得ている。
【０００６】
さらに、水分進入を防止してキャパシタ内部の電解液に水分を混入させないようにするため、キャパシタの外周をアルミラミネートフィルムで覆い、アルミラミネートフィルムの内部およびキャパシタ内部を減圧し、真空状態として溶着し、完全に覆い密封することにより外装している。これにより、特性劣化、ガス発生を抑えている。
【０００７】
このアルミラミネートフィルムは、金属アルミ箔をポリプロピレンおよびポリエチレンなどでラミネートしたフィルムであるため、机などにぶつけるなど、外的に衝撃が加わると簡単に穴が開いてしまい、空気中の水分進入が起こり、特性の低下を起こす。
【０００８】
そこで、このような外的衝撃からアルミラミネートフィルムを保護するものとして、図６に示すように、キャパシタ１０の外周（特に角）をアルミラミネートフィルム２３ごと覆うように１組の緩衝材１３０，１３０を設けたものがある。緩衝材１３０は枠体であって略長方形状に形成されている。緩衝材１３０は、２つの縦枠体１３１，１３２と２つの横枠体１３３，１３４とを有する。２つの縦枠体１３１，１３２は対向している。２つの横枠体１３３，１３４は、２つの縦枠体１３１，１３２の端部同士を連結するものであって、対向している。横枠体１３４の端部１３４ａ，１３４ｂ近傍に突出部１３５，１３５がそれぞれ設けられている。
【０００９】
突出部１３５は、図６および図７に示すように、平坦部１３７と中央部側凹み部１３８とが形成されている。平坦部１３７は、横枠体１３４の一方の端部１３４ａ側の一方の端部１３７ａから横枠体１３４の長手方向中央部側の他方の端部１３７ｂに向けて平坦に形成されている。中央部側凹み部１３８は、平坦部１３７の他方の端部１３７ｂに隣接して設けられている。
【００１０】
緩衝材１３０には弾力性に富んだ熱可塑性エラストマ、加硫ゴム、発泡樹脂、発泡ゴム等を用い、成型して容易にキャパシタを覆える構造となっている。
【００１１】
この緩衝材１３０は、試験、梱包、ユニット化する際にキャパシタ１０を保護することを目的としている。このため、ユニット化する場合キャパシタを緩衝材ごと筐体に収容して固定することとなる。
【００１２】
上述したように１組の緩衝材１３０，１３０がキャパシタ１０に組み付けられたキャパシタモジュール１４０をユニット化する場合、図８に示すように、複数のキャパシタモジュール１４０（図示例では４つ）が並列に配置されて筐体５１内に収納される。具体的には、複数のキャパシタモジュール１４０は、側面部１４０ａ同士が隣接して配置されると共に、緩衝材１３０の突出部１３５が筐体５１の側壁部５１ａ，５１ｂに隣接して配置される。そして、図８、図９（ａ）および図９（ｂ）に示すように、緩衝材１３０の平坦部１３７にＬ字板１５２の横板部１５４を押し当てビス１５５およびナット１５７によりＬ字板１５２の縦板部１５３を筐体５１の側壁部５１ａに固定することにより、複数のキャパシタモジュール１４０を筐体５１内に固定している。Ｌ字板１５２の縦板部１５３と横板部１５４とで構成される角部の大きさはθ１１となっている。
【００１３】
筐体５１は、上方が開放した箱型であって、４つの側壁部５１ａ，５１ｂ，５１ｃ，５１ｄと図示しない底板部とで構成されている。側壁部５１ａと側壁部５１ｃとが対向している。側壁部５１ｂ，５１ｄは、２つの側壁部５１ａ，５１ｃの端部同士を連結するものであって、対向している。
【００１４】
複数のキャパシタを筐体に収納して固定する技術として、例えば特許文献１には電気化学蓄電素子モジュールが記載されている。
【先行技術文献】
【特許文献】
【００１５】
【特許文献１】特開２００９−１７０６８７号公報
【発明の概要】
【発明が解決しようとする課題】
【００１６】
上述したようにＬ字板１５２およびビス１５５を用いてキャパシタモジュール１４０を筐体５１に固定することができるものの、筐体５１へのキャパシタモジュール１４０の固定をしっかり行わなければ、ユニットに振動が加わった際、キャパシタに損傷など、悪影響を及ぼしてしまう可能性がある。
【００１７】
そこで、ユニットの形状にもよるが、緩衝材１３０の反発力が大きいため、ユニットを組立てる際、図９（ａ）および図９（ｂ）に示すように、力Ｆ１１でＬ字板１５２の横板部１５４を緩衝材１３０の突出部１３７に向けて押圧するため、かなりの力を必要とし、一人で組み立て作業を行うのは極めて困難となったり、場合によっては何らかの治具が必要となったりするなど、作業性が非常に悪い。
【００１８】
ここでは、電気化学素子として電気二重層キャパシタを例にして説明したが、リチウムイオン電池などの二次電池をアルミラミネートフィルムで覆う場合には同様な問題を生じる。
【００１９】
以上のことから、本発明は前述した課題を解決するために為されたものであって、電気化学素子を筐体に容易に固定することができる電気化学素子ユニットを提供することを目的とする。
【課題を解決するための手段】
【００２０】
前述した課題を解決する第１の発明に係る電気化学素子ユニットは、
箱型の筐体内に、並列または直列に接続される複数の電気化学素子を収納してなる電気化学素子ユニットであって、
前記電気化学素子が電気化学素子本体を覆う保護部材を組み付けた電気化学素子モジュールであり、
前記筐体に固定具を固定することにより、当該固定具が前記保護部材に押し付けられて当該筐体内に前記電気化学素子モジュールを固定するようにした
ことを特徴とする。
【００２１】
前述した課題を解決する第２の発明に係る電気化学素子ユニットは、
第１の発明に係る電気化学素子ユニットであって、
前記固定具は前記筐体に取付けられる縦板部と前記縦板部に接続し前記保護部材を固定する横板部とを備え、
前記保護部材は傾斜部を備える
ことを特徴とする。
【００２２】
前述した課題を解決する第３の発明に係る電気化学素子ユニットは、
第２の発明に係る電気化学素子ユニットであって、
前記傾斜部は、前記保護部材の端部側よりも前記保護部材の長手方向中央部側が上方となるように形成される
ことを特徴とする。
【００２３】
前述した課題を解決する第４の発明に係る電気化学素子ユニットは、
第３の発明に係る電気化学素子ユニットであって、
前記固定具の前記縦板部と前記横板部で構成される角部は、前記傾斜部における前記保護部材の端部側の角部よりも小さく形成されている
ことを特徴とする。
【００２４】
前述した課題を解決する第５の発明に係る電気化学素子ユニットは、
第２乃至第４の発明の何れか一つに係る電気化学素子ユニットであって、
前記傾斜部が前記保護部材の端部近傍に設けられる
ことを特徴とする。
【００２５】
前述した課題を解決する第６の発明に係る電気化学素子ユニットは、
第２乃至第５の発明の何れか一つに係る電気化学素子ユニットであって、
前記保護部材は凹み部を備え、
前記凹み部は、前記傾斜部における当該保護部材の端部側に隣接して形成される
ことを特徴とする。
【００２６】
前述した課題を解決する第７の発明に係る電気化学素子ユニットは、
第１乃至第６の発明の何れか一つに係る電気化学素子ユニットであって、
前記電気化学素子が、アルミラミネートフィルムによって外装された電気二重層キャパシタ、またはリチウムイオン電池である
ことを特徴とする。
【発明の効果】
【００２７】
本発明に係る電気化学素子ユニットによれば、箱型の筐体内に、並列または直列に接続される複数の電気化学素子を収納してなる電気化学素子ユニットであって、前記電気化学素子が電気化学素子本体を覆う保護部材を組み付けた電気化学素子モジュールであり、前記筐体に固定具を固定することにより、当該固定具が前記保護部材に押し付けられて当該筐体内に前記電気化学素子モジュールを固定するようにしたことで、電気化学素子モジュールを筐体に容易に固定することができる。これにより、作業性が向上する。
【図面の簡単な説明】
【００２８】
【図１】本発明の一実施形態に係る電気二重層キャパシタの断面図である。
【図２】本発明の一実施形態に係る電気二重層キャパシタモジュールの斜視図である。
【図３】電気二重層キャパシタの緩衝材の上横枠体における端部の断面を模式的に示した図である。
【図４】本発明の一実施形態に係る電気二重層キャパシタユニットの斜視図である。
【図５】電気二重層キャパシタモジュールの固定具の取付け作業を説明するための図であって、図５（ａ）に固定具を仮止めした状態を示し、図５（ｂ）に固定具を固定した状態を示す。
【図６】従来の電気二重層キャパシタモジュールの斜視図である。
【図７】従来の電気二重層キャパシタの緩衝材の横枠体における端部の断面図である。
【図８】従来の電気二重層キャパシタユニットの斜視図である。
【図９】従来の電気二重層キャパシタモジュールの固定具の取付け作業を説明するための図であって、図９（ａ）に固定具の固定前の状態を示し、図９（ｂ）に固定具を固定した状態を示す。
【発明を実施するための形態】
【００２９】
本発明の一実施形態に係る電気化学素子ユニットについて、図１〜図５を参照して具体的に説明する。
【００３０】
本実施形態に係る電気化学素子ユニットは、箱型の筐体内に、並列または直列に接続される複数の電気化学素子を収納してなるものである。
本実施形態では、電気化学素子本体として電気二重層キャパシタに適用したものである。
【００３１】
本実施形態に係る電気二重層キャパシタ１０は、図１に示すように、イオンが透過可能であり平板状のセパレータ１１と、このセパレータ１１の両側面に配置された平板状の活性炭電極１２，１３とで構成されるセル１４を有する。この電気二重層キャパシタ１０は、必要な電圧分（図示例では三つ）のセル１４を積層し、隣接するセル１３間には集電体１５を配置した直方体状のものである。
【００３２】
上述したように３つのセル１４を積層したものの外側に集電極１６，１７が配置されている。そして、活性炭電極１２，１３および集電極１６，１７の外周部には内部の電解質が漏れ出さないように、シールを行うためのパッキン２０を挟んでいる。このパッキン２０は同時に積層間での絶縁も兼ねている。
【００３３】
また、集電極１６，１７の両側にはエンドプレート１８，１９をそれぞれ配置し、エンドプレート１８，１９のねじ穴から締め付けねじ２２を通し、エンドプレート１８，１９間には両雌ねじ加工を行った絶縁スペーサ２１を入れ、両側から締め付けねじ２２で絶縁スペーサ２１を締め付けることにより大きな加圧力を得ている。これにより、キャパシタ１０は扁平の角型形状となっている。
【００３４】
さらに、上述した構成のキャパシタ１０の外周をアルミラミネートフィルム２３で覆い、アルミラミネートフィルム２３の内部およびキャパシタ１０内部を減圧し、真空状態として溶着し、完全に覆い密封することにより外装している。
【００３５】
本実施形態では、外的衝撃からキャパシタ１０を保護するため、図２に示すように、キャパシタ１０の外周をアルミラミネートフィルム２３ごと覆うように１組の緩衝材（保護部材）３０，３０を組み付けている。緩衝材３０は、例えば、両面テープ（図示省略）でキャパシタ１０に固定されている。
【００３６】
緩衝材３０は、枠体であって、キャパシタ１０の角部（縁部）を特に保護するように、エンドプレート１８，１９に対応するキャパシタ１０の角部に沿う略長方形状に形成されている。緩衝材３０は、第一，第二の縦枠体３１，３２と上下の横枠体３３，３４とを有する。第一の縦枠体３１と第二の縦枠体３２は対向している。下横枠体３３と上横枠体３４は、第一，第二の縦枠体３１，３２の端部同士を連結し、対向している。上横枠体３４の端部３４ａ，３４ｂに突出部３５，３５がそれぞれ設けられている。言い換えると、上横枠体３４の長手方向略中央部分がその周りと比べて凹んでいる。これにより、キャパシタ１０に１組の緩衝材３０，３０を組み付けてキャパシタモジュール４０としても、キャパシタ１０の端子部２４，２５が緩衝材３０の上横枠体３４における長手方向略中央部にて露出するため、複数のキャパシタ１０を直列または並列に容易に接続することができる。
【００３７】
突出部３５には、図２および図３に示すように、傾斜部３７と中央部側凹み部３８とが形成されている。傾斜部３７は、上横枠体３４の中央部側が端部３４ａ，３４ｂ側よりも上方となるように傾斜している。上横枠体３４の一方の端部３４ａ側の傾斜部３７は、一方の端部３７ａから上横枠体３４の長手方向中央部側の他方の端部３７ｂに向けて傾斜して形成されている。他方の端部３７ｂが、一方の端部３７ａと比べて上方となるように形成されている。具体的には、傾斜部３７の一方の端部３７ａ側の角部θ１が鈍角となるように形成されている。この角部θ１は、後述する固定具５２の縦板部５３と横板部５４とで構成される角部θ２よりも大きく形成されている。これにより、筐体５１内にキャパシタモジュール４０を収納した状態で、筐体５１の外側から座付きビス５５などにより、筐体５１内にて、固定具５２を筐体５１の側壁部５１ａ，５１ｃに固定したときに、固定具５２の縦板部５３が筐体５１の側壁部５１ａ，５１ｂに面で接触することにより、固定具５２の横板部５４が緩衝材３０の傾斜部３７に押し付けられる。よって、キャパシタモジュール４０を筐体５１に容易に固定することができる。なお、上横枠体３４の他方の端部３４ｂ側の傾斜部３７も、上横枠体３４の一方の端部側３４ａの傾斜部３７と同様に形成されている。
【００３８】
緩衝材３０の上横枠体３４の端部３４ａ，３４ｂ側には、傾斜部３７に隣接して端部側凹み部３６が形成される。これにより、キャパシタモジュール４０を筐体５１内に収納した状態で、筐体５１内にて、後述する固定具５２の縦板部５３と筐体５１の側壁部５１ａ，５１ｃとを対向して配置することができ、固定具５２の取付け作業を容易に行うことができる。
なお、緩衝材３０の上横枠体３４の長手方向中央部側には、突出部３７に隣接して中央部側凹み部３８が形成されている。
【００３９】
緩衝材３０の材質としては、例えば、弾力性に富んだ熱可塑性エラストマ、加硫ゴム、発泡樹脂、発泡ゴムなどを用いることが可能であるが、必ずしもこれらに限定されるものではない。
【００４０】
固定具５２は、図５に示すように、断面略Ｌ字形状であって、縦板部（筐体取付部）５３と、この縦板部５３に接続する横板部（緩衝材固定部）５４とを備える。固定具５２の縦板部５３にはビス穴が形成されている。固定具５２の縦板部５３と横板部５４とで構成される角部θ２は、緩衝材３０の傾斜部３７の一方の端部３７ａ側の角部θ１よりも小さく形成されている。固定具５２の幅は筐体５１の側壁部５１ｂと側壁部５１ｄの間の大きさよりも短く形成されている。縦板部５３の長さは横板部５４よりも短く形成されている。固定具５２の材質としては、例えば、剛性の高い鋼鉄などが挙げられる。
なお、筐体５１の側壁部５１ａ，５１ｃにはビス穴が形成されている。ビス穴は、図４及び図５中にて上下方向で長径をなす長穴である。よって、座付きビス５５により、筐体５１の側壁部５１ａ，５１ｃに固定具５２を固定することができる。
【００４１】
続いて、上述したキャパシタモジュール４０を筐体５１内に複数収容し、これらキャパシタモジュール４０を固定具５２で筐体５１に固定してキャパシタユニットを作製する手順について説明する。
【００４２】
まず、筐体５１内にキャパシタモジュール４０を複数（図示例では、４つ）収容する。複数のキャパシタモジュール４０は、側面部４０ａ同士が隣接して配置されると共に、緩衝材３０の突出部３５が上方に向けて配置される。さらに、緩衝材３０の上横枠体３４の端部３４ａ，３４ｂが筐体５１の側壁部５１ａ，５１ｃに隣接して配置される。言い換えると、緩衝材３０の傾斜部３７および端部側凹み部３６は、筐体５１の側壁部５１ａ，５１ｂに対向して配置される。
【００４３】
続いて、筐体５１内に固定具５２を配置し、固定具５２の縦板部５３を緩衝材３０の端部側凹み部３６内に配置する。
【００４４】
続いて、図５（ａ）に示すように、筐体５１内に配置される固定具５２の縦板部５３に筐体５１の外側から座付きビス５５を取り付け、座付きビス５５により固定具５２の縦板部５３を筐体５１内で仮固定する。このとき、座付きビス５５の座面の一部と筐体５１の側壁部５１ａとが接触する。そして、座付きビス５５を締め付ける。このとき、座付きビス５５の座面の一部と筐体の側壁部との接触部がてこの支点となり、座付きビス５５と側壁部５１ａのビス穴により逃げ場を失い、固定具５２の縦板部５３が筐体５１の側壁部５１ａと面接触するように移動していく一方、固定具５２の横板部５４が矢印Ａの方向へ移動していく。
【００４５】
そして、図５（ｂ）に示すように、座付きビス５５を完全に締め付けることにより、固定具５２の縦板部５３と横板部５４の角部θ２が緩衝材３０の傾斜部３７の一方の端部側の角部θ１よりも小さいため、固定具５２の横板部５４が緩衝材３０の傾斜部３７に押し付けられる。すなわち、固定具５２の横板部５４により緩衝材３０の傾斜部３７に対して力Ｆ１が作用する。このときの力Ｆ１は、上述したように傾斜部３７の他方の端部３７ｂが一方の端部３７ａよりも上方にあるため、緩衝材３０の上横枠体３４の長手方向中央部側へ作用する力Ｆ１（ｘ）と、緩衝材３０の下方向へ作用する力Ｆ１（ｙ）とで構成される。すなわち、緩衝材３０は、固定具５２により、筐体５１の底板部（図示せず）への力（下方向の力）のみではなく、当該緩衝材３０の上横枠体３４の長手方向中央部側への力（横方向の力）でも固定される。これにより、固定具５２を緩衝材３０に押し込む力や治具などがなくてもキャパシタモジュール４０を筐体５１内に容易に固定することができる。
【００４６】
また、筐体５１の側壁部５１ｃ側に固定具５２を固定する場合も、筐体５１の側壁部５１ａに固定具５２を固定する作業と同様な作業を行うことにより、筐体５１の側壁部５１ｃに固定具５２を取り付けることができる。
【００４７】
したがって、本実施形態に係る電気化学素子ユニットによれば、箱型の筐体５１内に、並列または直列に接続される複数の電気化学素子を収納してなる電気化学素子ユニットであって、前記電気化学素子がキャパシタ１０を覆う緩衝材３０，３０を組み付けたキャパシタモジュール４０であり、筐体５１に固定具５２を固定することにより、固定具５２が緩衝材３０に押し付けられて当該筐体５１内にキャパシタモジュール４０を固定するようにしたため、キャパシタモジュール４０を筐体５１内に容易に固定することができる。
【００４８】
なお、上記では、電気化学素子本体としてキャパシタ１０を用いて説明したが、リチウムイオン電池に適用することも可能であり、このような場合であっても上記と同様な作用効果を奏する。
【００４９】
上記では、保護部材としてキャパシタ１０の少なくとも縁部を覆う枠体状の緩衝材３０を例に示したが、保護部材としてキャパシタを収納する収納ケースやキャパシタの側面部を覆う平板状の緩衝材などに適用することも可能であり、このような場合であっても上記と同様な作用効果を奏する。
【００５０】
上記では、４つのキャパシタモジュール４０を筐体５１内に収納した電気化学素子ユニットを例に示したが、３つ以下または５つ以上のキャパシタモジュールを筐体内に収納する電気化学素子ユニットに適用することも可能であり、このような場合であっても上記と同様な作用効果を奏する。
【００５１】
上記では、座付きビス５５により固定具５２を筐体５１に固定したが、座付きビス５５の代わりに、フランジ付きビス、ビス及び平座金などにより固定具５２を筐体５１に固定することも可能である。
【産業上の利用可能性】
【００５２】
本発明は、電気二重層キャパシタユニットやリチウムイオン電池ユニットなどの電気化学素子ユニットに利用することができる。
【符号の説明】
【００５３】
１０        電気二重層キャパシタ
１１        セパレータ
１２，１３  活性炭電極
１４        セル
１５        集電体
１６，１７  集電極（集電端子）
１８，１９  エンドプレート
２０        パッキン
２１        スペーサ
２２        ねじ
２３        アルミラミネートフィルム
２４，２５  端子部
３０        緩衝材（保護部材）
３５        突出部
３６        端部側凹み部
３７        傾斜部
３８        中央部側凹み部
４０        キャパシタモジュール
５１        筐体
５２        固定具
５３        縦板部
５４        横板部
５５        座付きビス
【図１】
2011222573.tif 000003
【図２】
2011222573.tif 000004
【図３】
2011222573.tif 000005
【図４】
2011222573.tif 000006
【図５】
2011222573.tif 000007
【図６】
2011222573.tif 000008
【図７】
2011222573.tif 000009
【図８】
2011222573.tif 000010
【図９】
2011222573.tif 000011